(57)【要約】【課題】  ワイン、日本酒などを充填した瓶体をその形状に関係なく横置きにして包装箱内に収容でき、安全に輸送できるコスト的にも安価な包装箱を提供すること。【解決手段】  包装箱110内に、山型支受部51、中央底面板33および第２仕切り面板34が連成して構成された中仕切り30が収容される。山型支受部51に形成された夫々の凹欠部35,36,37に３本の瓶体111,112,113の首部が支受される。平板状の第２仕切り面34に瓶体の胴部が支受され、隣接する瓶体の境目には垂直に起立する壁板42、48が配置された瓶用包装構体である。【選択図】  図５ 
0003117367.tif 000002
【実用新案登録請求の範囲】
【請求項１】
罫線を介して折曲可能であり仕切り面板および底面板に連成され区分された長尺の方形板からなり、仕切り面板は、罫線を介して折り曲げられて三角形状の山型支受部を形成し、該山型支受部の稜線部より傾斜した傾斜外側壁および傾斜内側壁に瓶体の首部が支受されうる大きさに凹欠された凹欠部が形成されてなり、前記仕切り面板に連成し瓶体の大きさに応じた長さを有する底面板とからなる中仕切りであり、前記凹欠部に首部が支受された瓶体が少なくとも一面が開閉可能な包装箱に収納されてなる瓶用包装構体。
【請求項２】
前記仕切り面板は、山型支受部に瓶体の首部が支受されうる大きさに凹欠された少なくとも２の凹欠部を有し、瓶体の胴部が支受される底面板には隣接する瓶体の境界に垂直に起立する仕切り板が設けられてなる請求項１記載の瓶用包装構体。
【請求項３】
罫線を介して折曲可能であり、第1仕切り面板、中央底面板、第２仕切り面板に順次連成されて区分された長尺の方形板からなり、第1仕切り面板は、罫線を介して折り曲げられて三角形状の第1山型支受部を形成し、該第1山型支受部の稜線部より傾斜した傾斜外側壁および傾斜内側壁に瓶体の首部が支受されうる大きさに凹欠された少なくとも２の凹欠部が形成されてなり、第２仕切り面板は、中央底面板との境界線に瓶体の胴部の外径にほぼ相当する長さの切欠線が設けられ、該切欠線の端部から瓶体の胴部方向に沿って形成された罫線が上部方向に折り曲げられて底面板を支えに起立する壁板が形成され、該底面板は前記中央底面板と連成してなり、前記切欠線の端部から直角方向に延びた罫線が上部方向に折り曲げられて形成された切欠部と前記底面板とが前記壁板を介して交互に連成してなり、前記凹欠部に首部、前記切欠部および前記底面板に胴部が支受された瓶体が、少なくとも一面が開閉可能な包装箱に収納されてなる瓶用包装構体。
【考案の詳細な説明】
【技術分野】
【０００１】
本考案は、ワイン、ウイスキー、日本酒などを充填した割れやすく、しかもある程度重量を有する瓶体を安定して輸送出来るようにした瓶用包装構体に関する。
【背景技術】
【０００２】
従来、ワイン、ウイスキー、日本酒などを充填したガラス製品または陶器などの壊れやすい瓶体を収納する包装箱としては、瓶体をその重量にかかわらず安定して収納保持し、複数の瓶体が相互に衝突しないようにして手軽に安全に持ち運びできるとともにコスト的にも安価であることが望まれている。
このような包装箱としては、厚紙などを折り曲げて形成されたものが多く提案されているが、これらの包装箱は瓶体を複数本同時に収容して包装するには、その形状や強度に問題が多く、緩衝能力にも欠け瓶体が破損しやすいという問題があった。そのために、実開平７−６１３６号公報に提案されているようにワイン、日本酒を充填した瓶体を１本個々に収容した化粧箱を吊り下げ、化粧箱に形成されたスリット部に瓶体の首部を貫通して係合し、多数の化粧箱を吊り下げ部材ごと輸送箱に収納して梱包するような二重に安全性を確保する必要があった。
【０００３】
一方、瓶体をそのまま複数本同時に収容した包装箱としては、実公平３−３３６１６号公報に、厚紙を適宜折れ線に沿って折り曲げ所定位置を接着剤で固定して上部を絞込み、把手部を多重構造にすることによって強度的にも安定し、吊り下げ状態で持ち運びできるワインを充填した瓶体を複数本そのまま収容した包装箱が提案されている。
【０００４】
しかしながら、これらの包装箱はいずれもワインを充填した瓶体を、首部を上にして縦置きにして収納されているために、ワインの詰栓に使用されているコルクが乾燥する問題があった。これを防止するには、包装箱を横に倒し、ワインを充填した瓶体を横置きにして保管するのが最適であるといわれている。しかし、かかる包装箱は、瓶体の首部および胴部がしっかりと固定されておらず、またその形状からみて、瓶体を破損しないで安全に包装箱を横に倒すのは困難であった。
【０００５】
本考案者は、これらのワインを充填した瓶体が有する課題を解決した包装箱として、２つの三角形状の山型支受部に形成された凹欠部に夫々瓶体の首部と胴部が支受されてなる中仕切りを収容した瓶用包装構体を考案し、瓶体が包装箱内でしっかりと固定され、輸送中の振動によって固定位置から外れる危険がない包装箱を既に出願した（実用新案登録第3111308号）。
【特許文献１】実用新案登録第3111308号公報
【特許文献２】実公平３−３３６１６号公報
【特許文献３】実開平７−６１３６号公報
【考案の開示】
【考案が解決しようとする課題】
【０００６】
しかしながら、広く流通しているワイン瓶は、ボルドー型のように肩が張った瓶、ブルゴーニュ型、ロワール型のようになで肩の瓶、アルザス型、ドイツワインのように細長くスマートな瓶、シャンバーニュ型のように胴が太くなで肩の首がやや長く伸びている瓶のように種々の形状のワイン瓶が市場に出荷されている。これに対して、本考案者が既に出願した包装箱は、夫々のワイン瓶の形状に応じて瓶体を収納するには、瓶体の胴部を支受する中仕切りの凹欠部の形状をその都度変えて使い分けしなければならず、種々のワイン瓶全部を収納できるような普遍的な包装箱でないことが分かった。
【０００７】
本考案者は、既に出願した包装箱の課題を解決するために種々検討した結果本考案に到達した。
本考案の目的は、ワイン、ウイスキー、日本酒などを充填した瓶体の形状に関係なく、瓶体を横置きにして収容でき、安全に輸送できるコスト的にも安価な包装箱を提供することである。
また、本考案の他の目的は、ワイン、ウイスキー、日本酒などを充填した瓶体の形状に関係なく、瓶体を複数本同時に横置きにして収容でき、安全に輸送できるコスト的にも安価な包装箱を提供することである。
【課題を解決するための手段】
【０００８】
すなわち、本考案は罫線を介して折曲可能であり仕切り面板および底面板に連成され区分された長尺の方形板からなり、仕切り面板は、罫線を介して折り曲げられて三角形状の山型支受部を形成し、該山型支受部の稜線部より傾斜した傾斜外側壁および傾斜内側壁に瓶体の首部が支受されうる大きさに凹欠された凹欠部が形成されてなり、前記仕切り面板に連成し瓶体の大きさに応じた長さを有する底面板とからなる中仕切りであり、前記凹欠部に首部が支受された瓶体が少なくとも一面が開閉可能な包装箱に収納されてなる瓶用包装構体である。
【０００９】
方形板としては厚紙板、プラスチック板、木材板など、任意の材質から組み立てることは可能であるが、中でもダンボールは緩衝効果に優れ、成形性、保形性、軽量性およびコストの点からも好ましい。
本考案瓶用包装構体は、中仕切りの三角形状の山型支受部に形成された凹欠部に瓶体の首部が支受されるようになっているので、瓶体の首部は包装箱内でしっかりと固定されており、輸送中の振動によって固定位置から外れることはない。また、三角形状の山型支受部は、傾斜外側壁の下端辺は包装箱内部側壁底辺に、傾斜内側壁の下端辺は連成する底面板に支持されているので、三角形状の山型支受部は高い保形性を有し、ワインやウイスキーを充填した瓶体の首部を充分保持する強度を有している。更に、仕切り面板に連成した底面板は瓶体の大きさに応じた長さおよび瓶体の胴部の外径にほぼ相当する幅を有するので、種々の形状を有する瓶体に対応して安全に固定することができる。
【００１０】
また、本考案は前記瓶用包装構体において、前記仕切り面板は、山型支受部に瓶体の首部が支受されうる大きさに凹欠された少なくとも２の凹欠部を有し、瓶体の胴部が支受される底面板には隣接する瓶体の境界に垂直に起立する仕切り板が設けられてなる瓶用包装構体である。
山型支受部の凹欠部に瓶体の首部が並列に配設されて支受されることにより、荷受人が包装箱を開封するとき瓶体の上下の確認が容易になる。また、底面板には瓶体の境界に垂直に起立する仕切り板が設けられることによってワインなどが充填された瓶体が輸送中に接触して破損する危険が未然に防止される。
【００１１】
更に、本考案は前記瓶用包装構体において、罫線を介して折曲可能であり、第1仕切り面板、中央底面板、第２仕切り面板に順次連成されて区分された長尺の方形板からなり、第1仕切り面板は、罫線を介して折り曲げられて三角形状の第1山型支受部を形成し、該第1山型支受部の稜線部より傾斜した傾斜外側壁および傾斜内側壁に瓶体の首部が支受されうる大きさに凹欠された少なくとも２の凹欠部が形成されてなり、第２仕切り面板は、中央底面板との境界線に瓶体の胴部の外径にほぼ相当する長さの切欠線が設けられ、該切欠線の端部から瓶体の胴部方向に沿って形成された罫線が上部方向に折り曲げられて底面板を支えに起立する壁板が形成され、該底面板は前記中央底面板と連成してなり、前記切欠線の端部から直角方向に延びた罫線が上部方向に折り曲げられて形成された切欠部と前記底面板とが前記壁板を介して交互に連成してなり、前記凹欠部に首部、前記切欠部および前記底面板に胴部が支受された瓶体が、少なくとも一面が開閉可能な包装箱に収納されてなる瓶用包装構体である。
【００１２】
隣接する瓶体の胴体の境目に設けられた壁板が底面板を支えに起立しているので、壁板は輸送中の振動によって定位置から移動することなく、ワインなどが充填された瓶体を安全に輸送することができる。また、瓶体の下部は切欠部と底面板とに交互に支受されており、切欠部に配置された瓶体の胴部下部は中央底面板の方形板との段差と壁板に囲まれた包装箱底面板の凹地に設置され瓶体は安定して支受される。
【考案の効果】
【００１３】
本考案瓶用包装構体は、瓶体の首部だけを三角形状の山型支受部に形成された凹欠部に固定し、瓶体の胴部が該胴部外径にほぼ相当する幅の側板で囲まれた平板状の底面板に支受された構成からなっているので、本考案者が既に出願した包装箱のように、夫々のワイン瓶の形状に応じて、その都度中仕切りを変えて使い分けする必要はなく、種々のワイン瓶を収納できる普遍的な包装箱である。
また、本考案瓶用包装構体は、瓶体の首部を三角形状の山型支受部に形成された凹欠部にしっかりと固定することができ、輸送中の振動によって瓶体が固定位置から外れることはない。その結果、従来、瓶体のような割れ物を輸送する際に、瓶体を１本１本緩衝材で包装したり、内装箱に収納してから外装箱に収容するような手間を省くことができるようになった。
【００１４】
更に、従来瓶体を箱詰めする際、ラベルが箱や中仕切りに接触して汚れたり傷つくことがあったが、本考案の瓶用包装構体は、瓶体の首部が夫々直線で支受されているので、瓶体はしっかりと固定されてラベルが擦れて汚れることはなくなった。
更にまた、ワインを充填した瓶体を横置きに包装箱に収納できるようになった結果、従来の縦置きに収容した包装箱と比較して、保管時に包装箱を逆さにしてワインを保存する手間も省くことができ、コルク内側に澱が溜まるワイン飲料時の問題もなくなった。そして、コルク栓の乾燥を防止することができ、ワインをしっかりと壜栓で瓶体内に保持できるようになった。
【考案を実施するための最良の形態】
【００１５】
以下、図面にて本考案実施の一例を説明する。
図１は、本考案で使用する中仕切りの一例を示す展開図である。中仕切り１は、横方向に長尺の方形板であって、罫線aを介して仕切り面板２と底面板３が連成され区分されている。仕切り面板２の横方向の中央付近に罫線bが形成され、罫線bを中心にして左右方向に同じ長さに凹欠された瓶体の首部が支受されうる大きさに凹欠された凹欠部４が形成される。凹欠部４の両端部は半円形状を呈しているが、角状、鋸歯状などであってもよい。横方向に長尺の方形板において、仕切り面板２に連成して平板状の底面板3が形成される。底面板3の長さ、すなわち罫線aと中仕切り１の右端辺６との距離は、瓶体の長さによって変形自在である。
【００１６】
図２は、図１の中仕切りを収容した包装箱の側面図である。中仕切り１は、仕切り面板２の罫線aおよびbを折り曲げることによって三角形状の山型支受部７が形成される。山型支受部７の稜線部８より傾斜した傾斜外側壁９および傾斜内側壁10に瓶体の首部が支受されうる大きさに凹欠された凹欠部４（図示せず）が形成される。包装箱101内で中仕切り１は、山型支受部７および平板状の底面板３が連成して組み立てられた構成である。仕切り面板２の左端辺5および底面板３の右端辺6の長さ、すなわち、図１の中仕切りの幅方向の大きさは瓶体胴部の外径にほぼ相当する大きさであり、瓶体の胴部は包装箱101の両側壁（図示せず）に囲まれ底面板３に支受される。
【００１７】
中仕切り１の両端辺、すなわち中仕切り１の左端辺5および底面板３の右端辺6は、包装箱101内で包装箱101の側壁底辺102および103に支持される。そして、瓶体の首部は山型支受部７の凹欠部４および胴部は平板状の底面板３に夫々支受される。中仕切り１の左端辺5または右端辺6は、包装箱101の側壁底辺102または103のいずれかに連成して、包装箱101に中仕切り１を一体化して収容した包装箱を製造することができる。かかる方法によって製造された包装箱は、山型支受部７の強度が増加するとともに、中仕切り１が包装箱と一体化されるので製造コストも下げることができる。
【００１８】
図3は、複数の瓶体を支受する中仕切りの一例を示す展開図である。中仕切り20は横方向に長尺の方形板21であり、罫線cを介して仕切り面板22および底面板23が連成され区分されてなる。仕切り面板22の横方向の中央付近に罫線cと同方向に罫線dが形成され、罫線dを中心にして横方向に同じ長さに凹欠された瓶体の首部が支受されうる大きさに凹欠された第1凹欠部25が形成される。次いで、第1凹欠部25の隣り、すなわち仕切り面板22の縦方向の中央部には、罫線dを中心にして左右方向に同じ長さに凹欠された瓶体の首部が支受されうる大きさに凹欠された第２凹欠部26が形成される。更に、第２凹欠部26の隣、すなわち仕切り面板22の縦方向の下部には、罫線dを中心にして左右方向に同じ長さに凹欠された瓶体の首部が支受されうる大きさに凹欠された第３凹欠部27が形成される。隣接する凹欠部の距離、すなわち第1凹欠部25と第２凹欠部26、第２凹欠部26と第３凹欠部27との距離は夫々の底面板23に支受される瓶体の胴部の外径によって随意決定される。凹欠部の両端部は半円形状を呈しているが、角状、鋸歯状などであってもよい。
【００１９】
一方、平板状の底面板23は横方向に長尺の方形板21の仕切り面板22に連成して形成され、その長さ、すなわち罫線cと方形板21の右端辺24との距離は、瓶体の長さによって随意決定される。包装箱内で中仕切り20は、仕切り面板22の罫線dを中心にして図２のように折り曲げることによって三角形状の山型支受部が形成される。山型支受部の稜線部より傾斜した傾斜外側壁および傾斜内側壁に瓶体の首部が支受されうる大きさに凹欠された3個の凹欠部25、26、27が形成される。包装箱内で中仕切り20は、山型支受部(図示せず)および平板状の底面板23が連成して組み立てられた構成である。3本のワイン瓶などが収容された包装箱内において、隣接する瓶体の胴部との境界には、仕切り板28および29が設置され、輸送中に瓶体が接触して破損するのを未然に防止する。また、方形板21の右端辺24を包装箱の一辺に連成すると、中仕切り20を収容した包装箱を一体的に組み立てることができる。
【００２０】
図４は、複数の瓶体を支受する中仕切りの他の一例を示す展開図である。中仕切り30は横方向に長尺の方形板31であり、罫線eおよびfを介して第1仕切り面板32、中央底面板33および第2仕切り面板34が連成し区分されている。第1仕切り面板32の横方向の中央付近に罫線gが形成され、罫線gを中心にして左右方向に同じ長さに凹欠された瓶体の首部が支受されうる大きさに凹欠された第1凹欠部35が形成される。次いで、第1凹欠部35の隣、すなわち第1仕切り面板32の縦方向の中央部には、罫線gを中心にして左右方向に同じ長さに凹欠された瓶体の首部が支受されうる大きさに凹欠された第２凹欠部36が形成される。更に、第２凹欠部36の隣、すなわち第1仕切り面板32の縦方向の最下部には、罫線gを中心にして左右方向に同じ長さに凹欠された瓶体の首部が支受されうる大きさに凹欠された第３凹欠部37が形成される。
【００２１】
一方、第2仕切り面板34は、中央底面板33との境界線、すなわち罫線fに、瓶体の胴部の外径にほぼ相当する長さの第1切欠線38が方形板31の上端辺39から折曲点40まで形成される。折曲点40から瓶体の胴部方向に沿って方形板31の右端辺41まで延びた罫線hが形成される。罫線hは包装箱内に中仕切り30を収容するとき、上部方向に折り曲げられて、隣接する瓶体胴部との境界に第1壁板42を形成する。その結果、第１凹欠部35に首部が支受された瓶体の胴部は、方形板31が切欠きされた第1切欠部43に設置され、図５に示す包装箱110の底板114に支受される。そのため、瓶体の胴部下部は中央底面板33の方形板31の図５に示す厚壁52、第1壁板42および包装箱110の側板115および117に囲まれた包装箱110の底板114の凹地に安定に設置される。
【００２２】
次いで、第1切欠部43の隣、すなわち第２仕切り面板34の縦方向の中央部は、中央底面板33と連成した底面板44からなる。底面板44は瓶体の外径にほぼ相当する幅、すなわち罫線hと罫線j間の長さを有する。第２凹欠部36に首部が支受された瓶体の胴部は、第1壁板42および第2壁板48が底面板44を支えに起立しているので輸送中に瓶体が移動することはない。底面板44の隣、すなわち第２仕切り面板34の最下部は、罫線f上の折曲点45から方形板31の下端辺46まで延びて切欠され第2切欠線47が形成される。折曲点45から瓶体の胴部方向に沿って方形板31の右端辺41まで延びた罫線jは、包装箱内に中仕切り30を収容するとき、上部方向に折り曲げられて隣接する瓶体との境界に第２壁板48を形成する。その結果、第３凹欠部37に首部が支受された瓶体の胴部は、中仕切り30が切欠きされて形成された第２切欠部49に設置され、図５に示す包装箱の底板114に支受される。そのため、瓶体の胴部は中央底面板33の方形板31の図５に示す厚壁52、第２壁板48および包装箱110の側板116および117に囲まれた凹地に安定に設置される。第２壁板48も底面板44を支えに起立しているので輸送中に移動することはなく、瓶体を安定に支受する。
【００２３】
第1壁板42および第２壁板48の高さは、第1切欠線38および第２切欠線47の長さの40％〜70％が好ましい。40％未満であると隣接する瓶体の胴部同士が接触して瓶体が破損する危険があり、70％を超えると壁板の上部が折曲がり瓶体の支受が不安定になる傾向がある。壁板は折り曲げて二重壁にして使用してもよいし、上部を好ましい高さになるように切断してもよい。また、方形板31の左端辺50を包装箱の一辺に連成すると、中仕切り30を収容した包装箱を一体的に組み立てることができる。かかる中仕切りを構成する方形板の端辺と包装箱を構成する方形板の端辺とを連成して、中仕切りと包装箱を一体的に組み立てる方法によって製造された瓶用包装構体も本考案の権利範囲内に含まれる。
【００２４】
図５は、図４の中仕切りに瓶体を支受して収容した包装箱の斜視図である。
包装箱110内には、山型支受部51、中央底面板33および第２仕切り面板34とから構成された中仕切り30が収容され、山型支受部51に形成された第１凹欠部35、第２凹欠部36および第３凹欠部37に３本の瓶体111,112,113の首部が支受される。第２仕切り面板34は、瓶体111の胴部下部が第1切欠部43に配置され、中央底面板33の厚壁52、第1壁板42および包装箱110の側板115および117に囲まれた包装箱110の底板114の凹地に安定に支受される。瓶体112の胴部下部は、包装箱110の側板117、第1壁板42および第2壁板48に囲まれた中仕切り31の底面板44に支受される。瓶体113の胴部下部は第２切欠部49に配置され、中央底面板33の厚壁52、第２壁板48および包装箱110の側板116および117に囲まれた包装箱110の底板114の凹地に支受される。隣接する瓶体111と瓶体112の胴部下部の境界には、底面板44から起立した第1壁板42、および隣接する瓶体112と瓶体114の胴部下部の境界には、底面板44から起立した第２壁板48が設けられ、隣接する瓶体同士が接触して瓶体が破損するのを未然に防止している。
【図面の簡単な説明】
【００２５】
【図１】本考案で使用する中仕切りの一例を示す展開図
【図２】図１の中仕切りを収容した包装箱の側面図
【図３】複数の瓶体を支受する中仕切りの一例を示す展開図
【図４】複数の瓶体を支受する中仕切りの他の一例を示す展開図
【図５】図４の中仕切りに瓶体を支受して収容した包装箱の斜視図
【符号の説明】
【００２６】
１、20、30                  中仕切り
２、22                      仕切り面板
32                          第1仕切り面板
３、23、44                  底面板
33                          中央底面板
34                          第２仕切り面板
25、35                      第１凹欠部
26、36                      第２凹欠部
27、37                      第３凹欠部
101、110                    包装箱
７、51                      山型支受部
28、29                      仕切り板
42、48                      壁板
43、49                      切欠部      
【図１】
0003117367.tif 000003
【図２】
0003117367.tif 000004
【図３】
0003117367.tif 000005
【図４】
0003117367.tif 000006
【図５】
0003117367.tif 000007